(57)【要約】【課題】撮像時の撮像状況又は画像内容に応じた適切な印刷条件をユーザに提示する画像管理装置を提供すること。【解決手段】本発明に係る画像管理装置は、撮像画像を取得する撮像画像取得部と、撮像画像取得部が取得した撮像画像が撮像されたときの露出時間を示す撮像状況を取得する撮像状況取得部と、撮像状況取得部が取得した露出時間がより長い場合に、より小さい推奨サイズを決定することによって、撮像画像取得部が取得した撮像画像を印刷する場合に推奨されるサイズである推奨サイズを決定する推奨サイズ決定部とを備える。【選択図】図２
2007235359.tif 000002
【特許請求の範囲】
【請求項１】
撮像画像を取得する撮像画像取得部と、
前記撮像画像取得部が取得した撮像画像が撮像されたときの撮像状況を取得する撮像状況取得部と、
前記撮像状況取得部が取得した撮像状況に基づいて、前記撮像画像取得部が取得した撮像画像を印刷する場合に推奨されるサイズである推奨サイズを決定する推奨サイズ決定部と
を備える画像管理装置。
【請求項２】
前記撮像状況取得部は、前記撮像画像取得部が取得した撮像画像が撮像されたときの撮像状況として露出時間を取得し、
前記推奨サイズ決定部は、前記撮像状況取得部が取得した露出時間がより長い場合に、より小さい推奨サイズを決定する
請求項１に記載の画像管理装置。
【請求項３】
前記撮像状況取得部は、前記撮像画像取得部が取得した撮像画像が撮像されたときの撮像状況として撮像モードを取得し、
前記推奨サイズ決定部は、前記撮像状況取得部が取得した撮像モードが、より暗い状況下で使用される撮像モードの場合に、より小さい推奨サイズを決定する
請求項１に記載の画像管理装置。
【請求項４】
前記撮像状況取得部は、前記撮像画像取得部が取得した撮像画像が撮像されたときの撮像状況として撮像モードを取得し、
前記推奨サイズ決定部は、前記撮像状況取得部が取得した撮像モードが、被写界深度がより浅い撮像モードの場合に、より小さい推奨サイズを決定する
請求項１に記載の画像管理装置。
【請求項５】
前記撮像状況取得部は、前記撮像画像取得部が取得した撮像画像が撮像されたときの撮像状況として手ぶれ量を取得し、
前記推奨サイズ決定部は、前記撮像状況取得部が取得した手ぶれ量がより大きい場合に、より小さい推奨サイズを決定する
請求項１に記載の画像管理装置。
【請求項６】
前記撮像画像取得部が取得した撮像画像の画像内容を解析する画像解析部
をさらに備え、
前記推奨サイズ決定部は、前記画像解析部による解析結果にさらに基づいて、前記撮像画像取得部が取得した撮像画像を印刷する場合に推奨されるサイズである推奨サイズを決定する
請求項１に記載の画像管理装置。
【請求項７】
前記画像解析部は、
前記撮像画像取得部が取得した撮像画像に含まれるオブジェクトの輪郭線のぶれ幅を検出するぶれ幅検出部
を有し、
前記推奨サイズ決定部は、前記ぶれ幅検出部が検出したぶれ幅がより大きい場合に、より小さい推奨サイズを決定する
請求項６に記載の画像管理装置。
【請求項８】
前記画像解析部は、
前記撮像画像取得部が取得した撮像画像に含まれる人物の人数を検出する人数検出部
を有し、
前記推奨サイズ決定部は、前記人数検出部が検出した人数がより多い場合に、より大きい推奨サイズを決定する
請求項６に記載の画像管理装置。
【請求項９】
前記撮像画像取得部が取得した撮像画像と、前記推奨サイズ決定部が決定した推奨サイズとが関連づけられて出力されるべく対応づけて記録媒体に記録する画像情報記録部
をさらに備える請求項１に記載の画像管理装置。
【請求項１０】
前記画像情報記録部は、前記撮像画像取得部が取得した撮像画像と、前記推奨サイズ決定部が決定した推奨サイズとを異なるファイルに記録する
請求項９に記載の画像管理装置。
【請求項１１】
前記撮像画像取得部が取得した撮像画像のサムネイル画像を生成するサムネイル画像生成部と、
前記サムネイル画像生成部が生成したサムネイル画像と、前記推奨サイズ決定部が決定した推奨サイズとが関連づけられて出力されるべく対応づけて記録媒体に記録する画像情報記録部と
をさらに備える請求項１に記載の画像管理装置。
【請求項１２】
前記画像情報記録部は、さらに、前記サムネイル画像生成部が生成した複数の撮像画像のそれぞれに対応する複数のサムネイル画像が並べられて注文票として出力されるべく対応づけて記録媒体に記録する
請求項１１に記載の画像管理装置。
【請求項１３】
前記撮像状況取得部が取得した撮像状況に基づいて、前記撮像画像取得部が取得した撮像画像を印刷する場合に推奨される紙種である推奨紙種を決定する推奨紙種決定部
をさらに備える請求項１に記載の画像管理装置。
【請求項１４】
前記撮像状況取得部は、前記撮像画像取得部が取得した撮像画像が撮像されたときの撮像状況として撮像モードを取得し、
前記推奨サイズ決定部は、前記撮像状況取得部が取得した撮像モードが夜景モードの場合に、グロス紙を推奨紙種として決定する
請求項１３に記載の画像管理装置。
【請求項１５】
前記撮像画像取得部が取得した撮像画像と、前記推奨紙種決定部が決定した推奨紙種とが関連づけられて出力されるべく対応づけて記録媒体に記録する画像情報記録部
をさらに備える請求項１３に記載の画像管理装置。
【請求項１６】
前記撮像画像取得部が取得した撮像画像のサムネイル画像を生成するサムネイル画像生成部と、
前記サムネイル画像生成部が生成したサムネイル画像と、前記推奨紙種決定部が決定した推奨紙種とが関連づけられて出力されるべく対応づけて記録媒体に記録する画像情報記録部と
をさらに備える請求項１３に記載の画像管理装置。
【請求項１７】
前記画像情報記録部は、さらに、前記サムネイル画像生成部が生成した複数の撮像画像のそれぞれに対応する複数のサムネイル画像が並べられて注文票として出力されるべく対応づけて記録媒体に記録する
請求項１６に記載の画像管理装置。
【請求項１８】
請求項１に記載された画像管理装置に撮像画像及び撮像状況を供給すべく、記録媒体に記録する撮像装置であって、
撮像画像を撮像する撮像部と、
前記撮像部が撮像した撮像画像を第一のファイルとして前記記録媒体に記録する撮像画像記録部と、
前記撮像部が撮像画像を撮像したときの撮像状況を取得する撮像状況取得部と、
前記撮像状況取得部が取得した撮像状況を前記第一のファイルとは異なる第二のファイルとして前記記録媒体に記録する撮像状況記録部と
を備える撮像装置。
【請求項１９】
撮像画像を取得する撮像画像取得段階と、
前記撮像画像取得段階において取得された撮像画像が撮像されたときの撮像状況を取得する撮像状況取得段階と、
前記撮像状況取得段階において取得された撮像状況に基づいて、前記撮像画像取得段階において取得された撮像画像を印刷する場合に推奨されるサイズである推奨サイズを決定する推奨サイズ決定段階と
を備える画像管理方法。
【請求項２０】
画像を管理する画像管理装置用のプログラムであって、前記画像管理装置を、
撮像画像を取得する撮像画像取得部、
前記撮像画像取得部が取得した撮像画像が撮像されたときの撮像状況を取得する撮像状況取得部、
前記撮像状況取得部が取得した撮像状況に基づいて、前記撮像画像取得部が取得した撮像画像を印刷する場合に推奨されるサイズである推奨サイズを決定する推奨サイズ決定部
として機能させるプログラム。
【請求項２１】
撮像画像を取得する撮像画像取得部と、
前記撮像画像取得部が取得した撮像画像の画像内容を解析する画像解析部と、
前記画像解析部による解析結果に基づいて、前記撮像画像取得部が取得した撮像画像を印刷する場合に推奨されるサイズである推奨サイズを決定する推奨サイズ決定部と
を備える画像管理装置。
【請求項２２】
撮像画像を取得する撮像画像取得段階と、
前記撮像画像取得段階において取得された撮像画像の画像内容を解析する画像解析段階と、
前記画像解析段階における解析結果に基づいて、前記撮像画像取得段階において取得された撮像画像を印刷する場合に推奨されるサイズである推奨サイズを決定する推奨サイズ決定段階と
を備える画像管理方法。
【請求項２３】
撮像画像を管理する画像管理装置用のプログラムであって、前記画像管理装置を、
撮像画像を取得する撮像画像取得部、
前記撮像画像取得部が取得した撮像画像の画像内容を解析する画像解析部、
前記画像解析部による解析結果に基づいて、前記撮像画像取得部が取得した撮像画像を印刷する場合に推奨されるサイズである推奨サイズを決定する推奨サイズ決定部
として機能させるプログラム。
【発明の詳細な説明】
【技術分野】
【０００１】
本発明は、画像管理装置、画像管理方法、撮像装置、及びプログラムに関する。特に、本発明は、撮像画像を管理する画像管理装置及び画像管理方法、当該画像管理装置に画像を提供する撮像装置、並びに当該画像管理装置用のプログラムに関する。
【背景技術】
【０００２】
クライアントからインターネットを介してイメージサービスプロバイダに発行される印刷オーダに基づいて、イメージサービスプロバイダから印刷サービスを提供する印刷管理装置として、印刷オーダで指定される画像データの表示要件（画素数等）と、印刷オーダで指定される印刷物の出力要件（印刷サイズ、解像度等）とを取得し、取得される画像データの表示要件と印刷物の出力要件とに基づいて、該画像データが印刷オーダで指定された印刷に適するか否かを判断する印刷管理装置が知られている（例えば、特許文献１参照。）。
【特許文献１】特開２００３−１３１８５５号公報
【発明の開示】
【発明が解決しようとする課題】
【０００３】
特許文献１に記載の技術による印刷管理装置では、ユーザが画像データをイメージサービスプロバイダにアップロードするとともに、ユーザが印刷用紙のサイズ、印刷用紙の種類等の出力要件を含む印刷オーダを送信する。そして、イメージサービスプロバイダから、指定された印刷オーダに画像データが適するか否かがユーザに提供される。しかしながら、画像を印刷するのに不慣れなユーザにとっては多くの画像データのそれぞれに印刷サイズを指定することは手間であり、ひいては不適切なサイズを指定してしまう場合がある。また、ユーザにとっては、画像データをアップロードしたりすることなく、画像データに適した出力要件を印刷オーダを発する前に予め知ることができることが望ましい。
【０００４】
そこで本発明は、上記課題を解決することができる画像管理装置、画像管理方法、撮像装置、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態における画像管理装置は、撮像画像を取得する撮像画像取得部と、撮像画像取得部が取得した撮像画像が撮像されたときの撮像状況を取得する撮像状況取得部と、撮像状況取得部が取得した撮像状況に基づいて、撮像画像取得部が取得した撮像画像を印刷する場合に推奨されるサイズである推奨サイズを決定する推奨サイズ決定部とを備える。
【０００６】
撮像状況取得部は、撮像画像取得部が取得した撮像画像が撮像されたときの撮像状況として露出時間を取得し、推奨サイズ決定部は、撮像状況取得部が取得した露出時間がより長い場合に、より小さい推奨サイズを決定してよい。撮像状況取得部は、撮像画像取得部が取得した撮像画像が撮像されたときの撮像状況として手ぶれ量を取得し、推奨サイズ決定部は、撮像状況取得部が取得した手ぶれ量がより大きい場合に、より小さい推奨サイズを決定してよい。
【０００７】
また、撮像状況取得部は、撮像画像取得部が取得した撮像画像が撮像されたときの撮像状況として撮像モードを取得し、推奨サイズ決定部は、撮像状況取得部が取得した撮像モードが、より暗い状況下で使用される撮像モードの場合に、より小さい推奨サイズを決定してよい。また、撮像状況取得部は、撮像画像取得部が取得した撮像画像が撮像されたときの撮像状況として撮像モードを取得し、推奨サイズ決定部は、撮像状況取得部が取得した撮像モードが、被写界深度がより浅い撮像モードの場合に、より小さい推奨サイズを決定してよい。
【０００８】
撮像画像取得部が取得した撮像画像の画像内容を解析する画像解析部をさらに備え、推奨サイズ決定部は、画像解析部による解析結果にさらに基づいて、撮像画像取得部が取得した撮像画像を印刷する場合に推奨されるサイズである推奨サイズを決定してよい。画像解析部は、撮像画像取得部が取得した撮像画像に含まれるオブジェクトの輪郭線のぶれ幅を検出するぶれ幅検出部を有し、推奨サイズ決定部は、ぶれ幅検出部が検出したぶれ幅がより大きい場合に、より小さい推奨サイズを決定してよい。また、画像解析部は、撮像画像取得部が取得した撮像画像に含まれる人物の人数を検出する人数検出部を有し、推奨サイズ決定部は、人数検出部が検出した人数がより多い場合に、より大きい推奨サイズを決定してよい。
【０００９】
撮像画像取得部が取得した撮像画像と、推奨サイズ決定部が決定した推奨サイズとが関連づけられて出力されるべく対応づけて記録媒体に記録する画像情報記録部をさらに備えてよい。また、画像情報記録部は、撮像画像取得部が取得した撮像画像と、推奨サイズ決定部が決定した推奨サイズとを異なるファイルに記録してよい。
【００１０】
撮像画像取得部が取得した撮像画像のサムネイル画像を生成するサムネイル画像生成部と、サムネイル画像生成部が生成したサムネイル画像と、推奨サイズ決定部が決定した推奨サイズとが関連づけられて出力されるべく対応づけて記録媒体に記録する画像情報記録部とをさらに備えてよい。画像情報記録部は、さらに、サムネイル画像生成部が生成した複数の撮像画像のそれぞれに対応する複数のサムネイル画像が並べられて注文票として出力されるべく対応づけて記録媒体に記録してよい。
【００１１】
撮像状況取得部が取得した撮像状況に基づいて、撮像画像取得部が取得した撮像画像を印刷する場合に推奨される紙種である推奨紙種を決定する推奨紙種決定部をさらに備えてよい。撮像状況取得部は、撮像画像取得部が取得した撮像画像が撮像されたときの撮像状況として撮像モードを取得し、推奨サイズ決定部は、撮像状況取得部が取得した撮像モードが夜景モードの場合に、グロス紙を推奨紙種として決定してよい。
【００１２】
撮像画像取得部が取得した撮像画像と、推奨紙種決定部が決定した推奨紙種とが関連づけられて出力されるべく対応づけて記録媒体に記録する画像情報記録部をさらに備えてよい。
【００１３】
撮像画像取得部が取得した撮像画像のサムネイル画像を生成するサムネイル画像生成部と、サムネイル画像生成部が生成したサムネイル画像と、推奨紙種決定部が決定した推奨紙種とが関連づけられて出力されるべく対応づけて記録媒体に記録する画像情報記録部とをさらに備えてよい。画像情報記録部は、さらに、サムネイル画像生成部が生成した複数の撮像画像のそれぞれに対応する複数のサムネイル画像が並べられて注文票として出力されるべく対応づけて記録媒体に記録してよい。
【００１４】
本発明の第２の形態によると、撮像画像を取得する撮像画像取得部と、撮像画像取得部が取得した撮像画像が撮像されたときの撮像状況を取得する撮像状況取得部と、撮像状況取得部が取得した撮像状況に基づいて、撮像画像取得部が取得した撮像画像を印刷する場合に推奨されるサイズである推奨サイズを決定する推奨サイズ決定部とを備える画像管理装置に画像及び撮像状況を供給すべく、記録媒体に記録する撮像装置であって、撮像画像を撮像する撮像部と、撮像部が撮像した撮像画像を記録媒体に、第一のファイルとして記録する撮像画像記録部と、撮像部が撮像画像を撮像したときの撮像状況を取得する撮像状況取得部と、撮像状況取得部が取得した撮像状況を記録媒体に、第一のファイルとは異なる第二のファイルとして記録する撮像状況記録部とを備えてよい。
【００１５】
本発明の第３の形態における画像管理方法は、撮像画像を取得する撮像画像取得段階と、撮像画像取得段階において取得された撮像画像が撮像されたときの撮像状況を取得する撮像状況取得段階と、撮像状況取得段階において取得された撮像状況に基づいて、撮像画像取得段階において取得された撮像画像を印刷する場合に推奨されるサイズである推奨サイズを決定する推奨サイズ決定段階とを備える。
【００１６】
本発明の第４の形態によると、画像を管理する画像管理装置用のプログラムであって、画像管理装置を、撮像画像を取得する撮像画像取得部、撮像画像取得部が取得した撮像画像が撮像されたときの撮像状況を取得する撮像状況取得部、撮像状況取得部が取得した撮像状況に基づいて、撮像画像取得部が取得した撮像画像を印刷する場合に推奨されるサイズである推奨サイズを決定する推奨サイズ決定部として機能させる。
【００１７】
本発明の第５の形態における画像管理装置は、撮像画像を取得する撮像画像取得部と、撮像画像取得部が取得した撮像画像の画像内容を解析する画像解析部と、画像解析部による解析結果に基づいて、撮像画像取得部が取得した撮像画像を印刷する場合に推奨されるサイズである推奨サイズを決定する推奨サイズ決定部とを備える。
【００１８】
本発明の第６の形態における画像管理方法は、撮像画像を取得する撮像画像取得段階と、撮像画像取得段階において取得された撮像画像の画像内容を解析する画像解析段階と、画像解析段階における解析結果に基づいて、撮像画像取得段階において取得された撮像画像を印刷する場合に推奨されるサイズである推奨サイズを決定する推奨サイズ決定段階とを備える。
【００１９】
本発明の第７の形態によると、撮像画像を管理する画像管理装置用のプログラムであって、画像管理装置を、撮像画像を取得する撮像画像取得部、撮像画像取得部が取得した撮像画像の画像内容を解析する画像解析部、画像解析部による解析結果に基づいて、撮像画像取得部が取得した撮像画像を印刷する場合に推奨されるサイズである推奨サイズを決定する推奨サイズ決定部として機能させる。
【００２０】
なお、上記の発明の概要は、本発明の必要な特徴の全てを列挙したものではなく、これらの特徴群のサブコンビネーションもまた、発明となりうる。
【発明の効果】
【００２１】
本発明によれば、ユーザは撮像時の撮像状況及び画像内容に適した印刷条件を容易に知ることができる。
【発明を実施するための最良の形態】
【００２２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２３】
図１は、この発明の一実施形態に係る画像管理システム１００の利用環境の一例を示す。画像管理システム１００は、撮像装置１３０、画像管理装置１１０、及び注文サーバ１２０を備える。画像管理装置１１０は、フォトショップ、コンビニエンスストア等の店舗１７０又はユーザ１９０の自宅１７１等に設けられており、撮像装置１３０による撮像画像の撮像状況又は画像内容に応じた適切な印刷条件をユーザ１９０に提示する。なお、画像管理装置１１０は、パーソナルコンピュータ等の情報端末であってよい。
【００２４】
具体的には、撮像装置１３０は、ユーザ１９０の指示によって画像を撮像した場合に、撮像時の撮像モード、露出時間等の撮像状況とともに撮像画像を記録媒体１６０ａに記録する。そして、画像管理装置１１０は、記録媒体１６０ａから撮像画像とともに撮像状況を読み出す。そして画像管理装置１１０は、撮像画像に含まれる被写体の人数、被写体の輪郭線のぶれ幅、画像の明るさ等の画像内容を解析して、撮像画像及び撮像状況とともに画像内容の解析結果を記録媒体１６０ｂに記録する。このとき、画像管理装置１１０は、撮像状況又は解析結果から、撮像画像を印刷する場合に推奨される推奨サイズ、推奨紙種等の推奨条件を決定して記録媒体１６０ａに記録する。例えば、画像管理装置１１０は、多くの人数が写っている撮像画像の推奨サイズを大きく設定したり、撮像モードが夜景モードである場合に推奨紙種をグロス紙に設定したりする。
【００２５】
そして、画像管理装置１１０は、ユーザ１９０から受け取った記録媒体１６０ｂから推奨サイズ、推奨紙種等の推奨条件を読み出して、撮像画像と共にディスプレイに表示する。そして、画像管理装置１１０は、ユーザ１９０から注文指示された撮像画像と、印刷サイズ及び印刷紙種の指定情報とを含む印刷オーダーを、通信回線１５０を介して注文サーバ１２０に送信する。そして、注文サーバ１２０は、印刷オーダーに応じて印刷機等の出力装置１８０から撮像画像を印刷して、ユーザ１９０に提供する。
【００２６】
なお、画像管理装置１１０は、ユーザ１９０から受け取った記録媒体１６０ｂから読み出した撮像状況及び画像内容から、推奨サイズ及び推奨紙種を決定して、撮像画像と共に画面に表示してもよい。また、画像管理装置１１０は、推奨サイズ及び推奨紙種を、撮像画像又は撮像画像のサムネイル画像とともにプリントした注文票１６５を、記録媒体１６０ｂとともにユーザ１９０に提供してもよい。
【００２７】
なお、撮像装置１３０は、撮像した撮像画像を解析した解析結果、又は解析結果から決定される推奨サイズ及び推奨紙種を記録媒体１６０ａに記録してもよい。そして、画像管理装置１１０は、記録媒体１６０ａから読み込んだ推奨サイズ及び推奨紙種、又は撮像画像の解析結果から決定される推奨サイズ及び推奨紙種等の印刷条件をディスプレイに表示してユーザ１９０に提示してよい。なお、プリンタ等の出力装置１８０は、店舗１７０又は自宅１７１に設けられ、店舗１７０又は自宅１７１に設けられた画像管理装置１１０からの印刷オーダーに応じて撮像画像を印刷してユーザ１９０に提供してもよい。
【００２８】
以上説明した画像管理システム１００によれば、ユーザ１９０から提供された撮像画像の撮像状況又は画像内容に応じて適切な印刷条件を決定するので、ユーザ１９０は撮像画像に適した印刷条件を注文前に予め知ることができる。このとき、画像管理装置１１０は、ユーザ１９０の印刷注文時に撮像画像自体を読み出す必要はなく、撮像画像の撮像状況及び撮像画像の解析結果を記録媒体１６０ａ又は記録媒体１６０ｂから読み出して適切な印刷条件を決定することができる。
【００２９】
図２は、画像管理装置１１０及び撮像装置１３０のブロック構成の一例を示す。撮像装置１３０は、撮像部２１０、撮像状況取得部２１５、撮像状況記録部２２０、及び撮像画像記録部２２５を備える。画像管理装置１１０は、撮像画像取得部２３０、撮像状況取得部２４０、画像解析部２５０、推奨サイズ決定部２６０、推奨紙種決定部２７０、サムネイル画像生成部２８０、及び画像情報記録部２９０を備える。画像解析部２５０は、ぶれ幅検出部２５２及び人数検出部２５４を有する。
【００３０】
撮像部２１０は、撮像画像を撮像する。撮像画像記録部２２５は、撮像部２１０が撮像した撮像画像を、第一のファイルとして記録媒体１６０（ａ及びｂ、以下、１６０と総称する）に記録する。そして、撮像状況取得部２１５は、撮像部２１０が撮像画像を撮像したときの撮像状況を取得する。撮像状況とは、例えば、露出時間、撮像モード、被写界深度等であってよい。そして、撮像状況記録部２２０は、撮像状況取得部２１５が取得した撮像状況を、第一のファイルとは異なる第二のファイルとして記録媒体１６０に記録する。このとき、撮像状況記録部２２０は、複数の撮像画像のそれぞれの撮像状況を１つの第二のファイルとして記録媒体１６０に記録してよい。このように、撮像装置１３０は、画像管理装置１１０に撮像画像及び撮像状況を供給すべく、記録媒体１６０に記録する。
【００３１】
撮像画像取得部２３０は、撮像画像を取得する。具体的には、撮像画像取得部２３０は、記録媒体１６０から撮像画像が記録された第一のファイルを読み込むことによって、撮像画像を取得する。撮像状況取得部２４０は、撮像画像取得部２３０が取得した撮像画像が撮像されたときの撮像状況を取得する。具体的には、撮像状況取得部２４０は、記録媒体１６０から撮像状況が記録された第二のファイルを読み込むことによって、撮像画像の撮像状況を取得する。そして、推奨サイズ決定部２６０は、撮像状況取得部２４０が取得した撮像状況に基づいて、撮像画像取得部２３０が取得した撮像画像を印刷する場合に推奨されるサイズである推奨サイズを決定する。
【００３２】
具体的には、撮像状況取得部２４０は、撮像画像取得部２３０が取得した撮像画像が撮像されたときの撮像状況として露出時間を取得する。そして、推奨サイズ決定部２６０は、撮像状況取得部２４０が取得した露出時間がより長い場合に、より小さい推奨サイズを決定する。露出時間を長くして撮像すると不鮮明な撮像画像が得られる場合が多く、このような撮像画像については推奨サイズ決定部２６０が推奨サイズを小さく決定するので、ユーザ１９０が誤って大きいサイズで印刷してしまい、画像の不鮮明さが目立つ形で印刷しまうことを未然に防ぐことができる。
【００３３】
他にも、撮像状況取得部２４０は、撮像画像取得部２３０が取得した撮像画像が撮像されたときの撮像状況として撮像モードを取得する。そして、推奨サイズ決定部２６０は、撮像状況取得部２４０が取得した撮像モードが、より暗い状況下で使用される撮像モードの場合に、より小さい推奨サイズを決定する。例えば、推奨サイズ決定部２６０は、撮像モードが夜景モードである場合に、より小さい推奨サイズを決定する。例えば暗い状況下では、オートフォーカスで撮像する場合でもユーザ１９０がフォーカスを合わせる場合でも、フォーカスの精度が悪くなりがちである。このような撮像画像については、推奨サイズ決定部２６０が推奨サイズを小さく決定するので、ユーザ１９０が誤って大きいサイズで印刷してしまい、画像の不鮮明さが目立つ形で印刷しまうことを未然に防ぐことができる。
【００３４】
他にも、推奨サイズ決定部２６０は、撮像状況取得部２４０が取得した撮像モードが、被写界深度がより浅い撮像モードの場合に、より小さい推奨サイズを決定する。例えば、推奨サイズ決定部２６０は、撮像モードがポートレートモードである場合には、より小さい推奨サイズを決定する。動作モードがポートレートモードでは、被写界深度を浅くして撮像される場合が多く被写体にフォーカスが合いにくいので、撮像画像が不鮮明になってしまう場合がある。このような撮像画像については、推奨サイズ決定部２６０が推奨サイズを小さく決定するので、ユーザ１９０が誤って大きいサイズで印刷してしまい、画像の不鮮明さが目立つ形で印刷しまうことを未然に防ぐことができる。
【００３５】
撮像状況取得部２４０は、撮像画像取得部２３０が取得した撮像画像が撮像されたときの撮像状況として手ぶれ量を取得する。例えば撮像状況取得部２４０は、撮像装置１３０に設けられた加速度センサによって計測された加速度に基づいて、手ぶれ量を取得する。例えば、撮像状況取得部２４０は、加速度センサによって計測された加速度の時間変化における手ぶれに特徴的な周波数成分を検出することによって、手ぶれの発生を検出するとともに、手ぶれ量を検出する。そして、推奨サイズ決定部２６０は、撮像状況取得部２４０が取得した手ぶれ量がより大きい場合に、より小さい推奨サイズを決定する。このため、画像管理装置１１０は、手ぶれによって不鮮明な画像となった撮像画像に対して、ユーザ１９０が誤って大きいサイズで注文してしまうことを未然に防ぐことができる。
【００３６】
画像解析部２５０は、撮像画像取得部２３０が取得した撮像画像の画像内容を解析する。推奨サイズ決定部２６０は、画像解析部２５０による解析結果にさらに基づいて、撮像画像取得部２３０が取得した撮像画像を印刷する場合に推奨されるサイズである推奨サイズを決定する。具体的には、ぶれ幅検出部２５２は、撮像画像取得部２３０が取得した撮像画像に含まれるオブジェクトの輪郭線のぶれ幅を検出する。そして、推奨サイズ決定部２６０は、ぶれ幅検出部２５２が検出したぶれ幅がより大きい場合に、より小さい推奨サイズを決定する。このため、画像管理装置１１０は、ぶれ幅が大きく被写体の輪郭が不鮮明な撮像画像に対して、ユーザ１９０が誤って大きいサイズで注文してしまうことを未然に防ぐことができる。
【００３７】
また、人数検出部２５４は、撮像画像取得部２３０が取得した撮像画像に含まれる人物の人数を検出する。そして、推奨サイズ決定部２６０は、人数検出部２５４が検出した人数がより多い場合に、より大きい推奨サイズを決定する。このため、画像管理装置１１０は、人物の数が多い画像に対して、ユーザ１９０が小さいサイズで注文してしまい、人物の顔が判別できない程小さくなってしまうことを未然に防ぐことができる。
【００３８】
そして、画像情報記録部２９０は、撮像画像取得部２３０が取得した撮像画像と、推奨サイズ決定部２６０が決定した推奨サイズとが関連づけられて出力されるべく対応づけて記録媒体１６０に記録する。このとき、画像情報記録部２９０は、撮像画像取得部２３０が取得した撮像画像と、推奨サイズ決定部２６０が決定した推奨サイズとを異なるファイルに記録してよい。また、画像情報記録部２９０は、複数の撮像画像のそれぞれの撮像状況を１つのファイルとして記録媒体１６０に記録してよい。これにより、画像管理装置１１０は、ユーザ１９０からの注文時に記録媒体１６０から推奨サイズが記録された１つのファイルを読み込むことによって、ユーザ１９０に推奨サイズを迅速に提示することができる。
【００３９】
サムネイル画像生成部２８０は、撮像画像取得部２３０が取得した撮像画像のサムネイル画像を生成する。そして、画像情報記録部２９０は、サムネイル画像生成部２８０が生成したサムネイル画像と、推奨サイズ決定部２６０が決定した推奨サイズとが関連づけられて出力されるべく対応づけて記録媒体１６０に記録する。このとき、画像情報記録部２９０は、サムネイル画像生成部２８０が生成した複数の撮像画像のそれぞれに対応する複数のサムネイル画像が並べられて注文票１６５として出力されるべく対応づけて記録媒体１６０に記録する。
【００４０】
推奨紙種決定部２７０は、撮像状況取得部２４０が取得した撮像状況に基づいて、撮像画像取得部２３０が取得した撮像画像を印刷する場合に推奨される紙種である推奨紙種を決定する。具体的には、推奨サイズ決定部２６０は、撮像状況取得部２４０が取得した撮像モードが夜景モードの場合に、グロス紙を推奨紙種として決定する。このため、画像管理装置１１０は、夜景モードで得られた撮像画像をより美しく印刷することができる紙種で印刷されるように、ユーザ１９０にアドバイスすることができる。
【００４１】
そして、画像情報記録部２９０は、撮像画像取得部２３０が取得した撮像画像と、推奨紙種決定部２７０が決定した推奨紙種とが関連づけられて出力されるべく対応づけて記録媒体１６０に記録する。なお、画像情報記録部２９０は、サムネイル画像生成部２８０が生成したサムネイル画像と、推奨紙種決定部２７０が決定した推奨紙種とが関連づけられて出力されるべく対応づけて記録媒体１６０に記録してよい。また、画像情報記録部２９０は、さらに、サムネイル画像生成部２８０が生成した複数の撮像画像のそれぞれに対応する複数のサムネイル画像が並べられて注文票１６５として出力されるべく対応づけて記録媒体１６０に記録する。
【００４２】
以上説明したように、画像管理システム１００によれば、記録媒体１６０から画像情報が記載されたファイルを読み出すことによって、推奨されるサイズと紙種とをユーザ１９０に提示することができる。このため、ユーザ１９０は、画像管理装置１１０を用いて適切なサイズと紙種で注文サーバ１２０に印刷を注文することができる。なお、以上の説明においては、画像管理装置１１０が推奨サイズ及び推奨紙種を１６０に記録する場合について説明したが、本図において説明した画像管理装置１１０の機能を撮像装置１３０が有してよく、撮像装置１３０が推奨サイズ及び推奨紙種を１６０に記録してもよい。
【００４３】
図３は、撮像装置１３０が格納する撮像状況データの一例を示す。撮像画像記録部２２５は、記録媒体１６０のルートディレクトリ３００の下に、撮像部２１０によって撮像された撮像画像のそれぞれを複数の撮像画像ファイル３１０として格納する。また、撮像状況記録部２２０は、ルートディレクトリ３００の直下に、複数の撮像画像ファイル３１０の撮像状況を１つの撮像状況ファイル３２０に記録する。
【００４４】
具体的には、撮像状況記録部２２０は、撮像画像ファイルを識別するアドレス情報、撮像画像を撮像したときの撮像モード、露出時間、被写界深度、手ぶれ量等の撮像状況を、撮像状況ファイル３２０に記録する。撮像モードとは、例えば、夜景モード、ポートレートモード等、撮像装置１３０の動作モードを示す情報であってよい。なお、アドレス情報とは、撮像画像ファイル３１０のパス名を含むファイル名を示す情報であってよい。なお、撮像状況記録部２２０は、ＸＭＬにおけるタグデータとして、アドレス情報及び撮像状況データを記録してよい。
【００４５】
なお、本図の説明のディレクトリ構成は、撮像装置１３０が格納する撮像画像ファイル３１０及び撮像状況ファイル３２０を格納するディレクトリ構成の一例であって、撮像画像記録部２２５は、ルートディレクトリ３００の下の１つの撮像画像ディレクトリに複数の撮像画像ファイル３１０を記録する等、様々なディレクトリ構成で撮像画像ファイル３１０を記録してよい。なお、撮像状況記録部２２０は、ルートディレクトリの直下以外のディレクトリに撮像状況ファイル３２０を記録してよく、自由なディレクトリ構成を有してよいことは言うまでもない。また、撮像状況記録部２２０は、ルートディレクトリ３００に対して、異なる撮像装置１３０の間で予め規定された相対ディレクトリに撮像状況ファイル３２０を記録してよい。この場合、画像管理装置１１０は、ルートディレクトリ３００に対して予め規定された相対ディレクトリから撮像状況ファイル３２０を読み出すことができるので、いずれの撮像装置１３０によって記録された記録媒体１６０であるかを特定することなく、撮像画像ファイル３１０と撮像状況を容易に読み出すことができる。
【００４６】
図４は、画像管理装置１１０が記録する推奨条件データの一例を示す。画像情報記録部２９０は、記録媒体１６０のルートディレクトリ４００の下に、記録媒体１６０から読み出された複数の撮像画像ファイル３１０を所定のディレクトリ（本図の例では、ルートディレクトリ４００）に記録するとともに、撮像状況ファイル３２０から読み込まれた撮像状況データを撮像状況ファイル４１０に記録する。また、画像情報記録部２９０は、ルートディレクトリ４００の直下に、複数の撮像画像ファイル３１０の画像内容を解析した１つの解析結果ファイル４２０、複数の撮像画像ファイル３１０の推奨条件が記録された１つの推奨条件ファイル４３０、サムネイル画像生成部２８０が生成したサムネイル画像が記録されたサムネイル画像ファイル４４０、及び各ファイル３１０、４１０、４２０、４３０、４４０の対応関係が記載された画像対応ファイル４５０を記録する。
【００４７】
具体的には、画像情報記録部２９０は、画像解析部２５０が撮像画像から抽出した人物の人数、ぶれ幅、明るさ等の解析結果を、撮像画像を識別するアドレス情報に対応付けて解析結果ファイル４２０に記録する。また、画像情報記録部２９０は、画像解析部２５０が解析した解析結果又は撮像状況ファイル３２０に記録された撮像状況に基づいて総合的な撮像画像の質の指標を示す画質を決定し、決定した画質を解析結果ファイル４２０に記録してもよい。また、画像情報記録部２９０は、画像解析部２５０による解析結果及び撮像状況ファイル３２０に記録された撮像状況から決定される推奨サイズ及び推奨紙種等の推奨条件を、撮像画像を識別するアドレス情報に対応付けて推奨条件ファイル４３０に記録する。
【００４８】
具体的には、推奨サイズ決定部２６０は、撮像モードに対応づけて最大サイズを予め記憶しておく。例えば、推奨サイズ決定部２６０は、夜景モード、ポートレートモード等に対応づけて最大サイズを２Ｌと予め記憶しておく。また、推奨サイズ決定部２６０は、露出時間の長さの値に応じた最大サイズを予め記憶しておく。同様に、推奨サイズ決定部２６０は、被写界深度の大きさ、手ぶれ量等の撮像状況のそれぞれの値に対応づけて、最大サイズを予め記憶しておく。そして、推奨サイズ決定部２６０は、撮像状況ファイル３２０に記録された撮像状況のそれぞれについて、撮像モード、露出時間、被写界深度、手ぶれ量のそれぞれの値に対応づけて予め記憶している最大サイズを決定する。そして、推奨サイズ決定部２６０は、撮像状況のそれぞれについて決定した最大サイズのうちの最も小さい最大サイズを、推奨サイズとして決定する。
【００４９】
なお、推奨サイズ決定部２６０は、画像解析部２５０の解析結果から推奨サイズを決定する場合にも、撮像状況から推奨サイズを決定する場合と同様の方法によって決定する。例えば、推奨サイズ決定部２６０は、ぶれ幅、明るさのそれぞれの値に対応づけて最大サイズを予め記憶しておく。そして、推奨サイズ決定部２６０は、解析結果のそれぞれについて、ぶれ幅、明るさ等の値のそれぞれに対応づけて記憶している最大サイズを決定する。そして、推奨サイズ決定部２６０は、解析結果のそれぞれについて決定した最大サイズのうちの最も小さい最大サイズを、推奨サイズとして決定する。なお、推奨サイズ決定部２６０は、撮像状況から決定される最大サイズと、画像解析部２５０による解析結果から決定される最大サイズとのうちの小さい方の最大サイズを、最大サイズとして決定してよい。また、推奨サイズ決定部２６０は、人物の人数に対応づけて最小サイズを予め記憶しており、画像解析部２５０による解析結果に含まれる人物の人数に対応づけて記憶している最小サイズを決定する。そして、推奨サイズ決定部２６０は、決定した最小サイズから最大サイズとの間の大きさのサイズを、推奨サイズとして決定する。
【００５０】
また、推奨紙種決定部２７０は、撮像モードに対応づけて推奨紙種を予め記憶しておく。そして、推奨紙種決定部２７０は、撮像状況ファイル３２０に記録されている撮像モードに対応づけて記憶している推奨紙種を選択する。例えば、推奨紙種決定部２７０は、夜景モードに対応付けて、推奨紙種をグロス紙と予め記憶しておき、撮像モードが夜景モードである撮像画像について、グロス紙を推奨紙種として選択する。
【００５１】
画像情報記録部２９０は、撮像状況ファイル３２０から読み出された撮像画像と、撮像画像を識別するアドレス情報とを対応づけて画像対応ファイル４５０に記録する。また、画像情報記録部２９０は、撮像状況ファイル３２０、解析結果ファイル４２０、推奨条件ファイル４３０、及びサムネイル画像ファイル４４０のパス名を含むファイル名を、画像対応ファイル４５０に記録してよい。なお、画像情報記録部２９０は、画像対応ファイル４５０に記載する内容をＸＭＬ形式で記録してよい。
【００５２】
なお、画像情報記録部２９０は、解析結果ファイル４２０及び推奨条件ファイル４３０をそれぞれＸＭＬ形式で記録してよい。また、アドレス情報とは、撮像画像ファイル３１０のパス名を含むファイル名であってよいし、各撮像画像に割り振られた画像ＩＤであってもよい。
【００５３】
なお、本図の例では、撮像状況ファイル３２０、解析結果ファイル４２０、推奨条件ファイル４３０にそれぞれ撮像状況、解析結果、推奨条件を格納する例について説明したが、これらの撮像状況、解析結果、推奨条件は、１つの画像情報ファイルに記録されてもよい。この場合、画像情報記録部２９０は、当該画像情報ファイルのパス名を含むファイル名が画像対応ファイル４５０に記録する。
【００５４】
なお、画像情報記録部２９０は、推奨条件ファイル４３０に記録された推奨サイズ、推奨紙種等の推奨条件とサムネイル画像とを対応づけて表示する画面表示を規定したＨＴＭＬファイルを記録媒体１６０に記録してもよい。例えば、画像管理装置１１０は、注文時に表示する注文画面を規定したＨＴＭＬファイルを記録媒体１６０に記録する。これにより、ＷＥＢブラウザが動作する画像管理装置１１０であれば、携帯電話、ＰＤＡ等の携帯情報端末等の装置の種類を問わず撮像画像の推奨サイズ及び推奨紙種を確認することができる。以上説明したように、画像情報記録部２９０は、推奨サイズ及び推奨紙種を推奨条件ファイル４３０に記録するので、画像管理装置１１０は推奨条件ファイル４３０を読み込むことによって適切なサイズ及び紙種をユーザ１９０に提示することができる。
【００５５】
図５は、画像管理装置１１０が撮像画像の注文を受け付ける場合の注文画面の一例を示す。画像管理装置１１０は、画像対応ファイル４５０に記録された推奨条件ファイル４３０及びサムネイル画像ファイル４４０のファイル名で示されるファイルを記録媒体１６０から読み込むことによって推奨条件とサムネイル画像とを取得して、ディスプレイ５００に表示する。このとき、画像管理装置１１０は、サムネイル画像を表示するとともに、それぞれのサムネイル画像の近傍の推奨条件領域５１０に、それぞれのサムネイル画像が示す撮像画像の推奨サイズ、推奨紙種、及び画質を表示する。
【００５６】
そして、画像管理装置１１０は、ユーザ１９０からのサイズ、紙種の選択指示を受け付ける。そして、画像管理装置１１０は、ユーザ１９０が注文ボタン６１０が押されたことを検知すると、サムネイル画像に対応づけられた撮像画像を識別するアドレス情報を、サイズ及び紙種に対応づけて、印刷注文データとしてメモリに記憶する。なお、画像管理装置１１０は、印刷注文を推奨できない画質の撮像画像のサムネイル画像を、印刷注文を推奨できる画質の撮像画像のサムネイル画像より小さく表示したり、薄く表示したりしてよい。また、画像管理装置１１０は、印刷注文を推奨できない画質の撮像画像のサムネイル画像の上に印刷注文を推奨できない旨を示す×印等のマークを表示してよい。これにより、画像管理装置１１０は、印刷するのに画質が適さない画像をユーザ１９０が無駄に注文してしまうことを未然に防ぐことができる。なお、印刷注文を推奨できない画質の撮像画像とは、例えば推奨サイズ決定部２６０によって最大サイズが最小サイズより小さく決定された撮像画像であってよい。
【００５７】
なお、画像管理装置１１０は、ディスプレイ５００の片隅の注文票領域５３０に、注文票１６５における撮像画像のレイアウトと同じレイアウトでサムネイル画像を表示する。そして、ユーザ１９０が注文した撮像画像を示すサムネイル画像を強調して表示する。例えば、画像管理装置１１０は、ユーザ１９０が注文した撮像画像を示すサムネイル画像を注文票領域５３０の他のサムネイル画像より大きく表示したり、ユーザ１９０が注文した撮像画像を示すサムネイル画像の画像枠を他のサムネイル画像の画像枠より太く表示したり、明るく表示したりする。また、画像管理装置１１０は、ユーザ１９０が推奨サイズ、推奨紙種を変更した撮像画像、サムネイル画像をクリックする等して選択した撮像画像を示すサムネイル画像を強調して表示してもよい。これにより、画像管理装置１１０は、注文操作を行った撮像画像の注文票１６５における位置をユーザ１９０に提示することができる。
【００５８】
図６は、画像管理装置１１０が撮像画像の注文を受け付ける場合の注文確認画面の一例を示す。画像管理装置１１０は、印刷注文データとしてメモリに記憶されたアドレス情報で識別される撮像画像を、ディスプレイ５００の確認画面領域６１０にスライドショー形式で順次表示する。このとき画像管理装置１１０は、ディスプレイ５００の片隅の注文票領域５３０に、注文票１６５における撮像画像のレイアウトと同じレイアウトでサムネイル画像を表示する。そして、画像管理装置１１０は、確認画面領域６１０に表示中の撮像画像を示すサムネイル画像を強調して表示する。例えば、画像管理装置１１０は、表示中の撮像画像を示すサムネイル画像を他のサムネイル画像より大きく表示したり、表示中の撮像画像を示すサムネイル画像の画像枠を他のサムネイル画像の画像枠より太く表示したり、明るく表示したりしてよい。
【００５９】
なお、画像管理装置１１０は、メモリに記憶された印刷注文データから、確認画面領域６１０に表示中の撮像画像に対応づけられた印刷サイズ、印刷紙種、及び画質を読み出して、確認画面領域６１０の近傍に表示する。なお、画像管理装置１１０は、印刷サイズに応じた大きさで確認画面領域６１０に撮像画像を表示してもよい。以上説明したように、画像管理装置１１０は、注文した内容をユーザ１９０に確認させることができる。また、画像管理装置１１０は、ユーザ１９０が注文した撮像画像の注文票１６５における位置をユーザ１９０に提示することができる。
【００６０】
以上説明したように、本実施形態の画像管理システム１００によれば、ユーザ１９０は、撮像画像が撮像された撮像状況、撮像画像の内容に応じて、撮像画像を印刷する場合に推奨される推奨サイズと推奨紙種を注文時に知ることができるので、容易に画像の印刷を注文することができる。
【００６１】
図７は、本実施例に係る画像管理装置１１０又は撮像装置１３０のハードウェア構成の一例を示す。画像管理装置１１０又は撮像装置１３０は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００６２】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００６３】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、ＣＰＵ１５０５が使用するプログラム、及びデータを格納する。通信インターフェイス１５３０は、ネットワーク通信装置１５９８に接続してプログラムまたはデータを送受信する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００６４】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、画像管理装置１１０又は撮像装置１３０が起動時に実行するブート・プログラムや、画像管理装置１１０又は撮像装置１３０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００６５】
ＣＰＵ１５０５が実行するプログラムは、フレキシブルディスク１５９０、ＣＤ−ＲＯＭ１５９５、またはＩＣカード等の記録媒体に格納されて利用者によって提供される。記録媒体に格納されたプログラムは圧縮されていても非圧縮であってもよい。プログラムは、記録媒体からハードディスクドライブ１５４０にインストールされ、ＲＡＭ１５２０に読み出されてＣＰＵ１５０５により実行される。
【００６６】
ＣＰＵ１５０５により実行されるプログラムは、画像管理装置１１０を、図１から図７にかけて説明した撮像画像取得部２３０、撮像状況取得部２４０、画像解析部２５０、推奨サイズ決定部２６０、推奨紙種決定部２７０、サムネイル画像生成部２８０、及び画像情報記録部２９０を備える。画像解析部２５０は、ぶれ幅検出部２５２及び人数検出部２５４として機能させる。また、当該プログラムは、撮像装置１３０を、図１から図７にかけて説明した撮像部２１０、撮像状況取得部２１５、撮像状況記録部２２０、及び撮像画像記録部２２５として機能させる。
【００６７】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムを画像管理装置１１０又は撮像装置１３０に提供してもよい。
【００６８】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００６９】
【図１】画像管理システム１００の利用環境の一例を示す図である。
【図２】画像管理装置１１０及び撮像装置１３０のブロック構成の一例を示す図である。
【図３】撮像装置１３０が格納する撮像状況データの一例を示す図である。
【図４】画像管理装置１１０が記録する推奨条件データの一例を示す図である。
【図５】画像管理装置１１０における注文画面の一例を示す図である。
【図６】画像管理装置１１０における注文確認画面の一例を示す図である。
【図７】画像管理装置１１０又は撮像装置１３０のハードウェア構成を示すブロック図である。
【符号の説明】
【００７０】
１００  画像管理システム
１１０  画像管理装置
１２０  注文サーバ
１３０  撮像装置
１５０  通信回線
１６０  記録媒体
１６５  注文票
１８０  出力装置
１９０  ユーザ
２１０  撮像部
２１５  撮像状況取得部
２２０  撮像状況記録部
２２５  撮像画像記録部
２３０  撮像画像取得部
２４０  撮像状況取得部
２５０  画像解析部
２５２  ぶれ幅検出部
２５４  人数検出部
２６０  推奨サイズ決定部
２７０  推奨紙種決定部
２８０  サムネイル画像生成部
２９０  画像情報記録部
３２０  撮像状況ファイル
４１０  撮像状況ファイル
４２０  解析結果ファイル
４３０  推奨条件ファイル
４４０  サムネイル画像ファイル
４５０  対応ファイル
【図１】
2007235359.tif 000003
【図２】
2007235359.tif 000004
【図３】
2007235359.tif 000005
【図４】
2007235359.tif 000006
【図５】
2007235359.tif 000007
【図６】
2007235359.tif 000008
【図７】
2007235359.tif 000009